【手続補正書】
【提出日】平成22年3月3日(2010.3.3)
【手続補正１】
【補正対象書類名】明細書
【補正対象項目名】０００６
【補正方法】変更
【補正の内容】
【０００６】
一方、同勧告８．１章の規定によれば、ＯＬＴより複数のＯＮＵに向けて送信される信号は下り信号と呼ばれ、フレーム同期パタン、ＰＬＯＡＭ領域、ＵＳ Ｂａｎｄｗｉｄｔｈ ＭＡＰ領域、フレームペイロードから構成されている。ＯＬＴは同勧告８．１．３．６章に示すようにＵＳ Ｂａｎｄｗｉｄｔｈ ＭＡＰと呼ばれる領域を用いて、各ＯＮＵの上り送信許可タイミングを指定する。ＵＳ Ｂａｎｄｗｉｄｔｈ ＭＡＰ領域は送信許可の開始を指定するＳｔａｒｔ値と終了を指定するＥｎｄ値を備えており、それぞれバイト単位の指定が行われる。この値を、送信を許可するという意味でグラント値とも呼ぶ。そして、Ｅｎｄ値と次のＳｔａｒｔ値の差は、上り無信号領域であり、上記ガードタイムに対応する。なお、個々のＯＮＵにはＴ−ＣＯＵＴと呼ばれる複数の帯域割り当て単位が割り付け可能であり、上記上り送信許可タイミングの指定はＴ−ＣＯＵＴ毎に行われる。
【手続補正２】
【補正対象書類名】明細書
【補正対象項目名】００１９
【補正方法】変更
【補正の内容】
【００１９】
また、逆にＴＤＭネットワーク７からのＴＤＭ信号は、光アクセスネットワーク１０を介してＴＤＭシステム５に収容される。またＩＰネットワーク６からの信号は光アクセスネットワーク１０を介してＩＰシステム４へと収容される。これらの信号を下り信号と呼ぶ。
なお、以下説明する図１１までのブロック図において、信号の流れる方向（上り、下り）は、図１に合わせている。
【手続補正３】
【補正対象書類名】明細書
【補正対象項目名】００２０
【補正方法】変更
【補正の内容】
【００２０】
図２はＯＬＴのブロック図である。幹線ファイバ８からの上り光信号は、光電変換モジュール７１で電気に変換された後、ＯＬＴ ＰＯＮ送受信ブロック７２でＧＥＭ終端される。変換された電気信号は、ＧＥＭ終端によって、イーサネット（登録商標）信号およびＴＤＭ信号に変換される。イーサネット信号とＴＤＭ信号は、それぞれイーサネットＰＨＹ７３およびＴＤＭ ＰＨＹ ７４を介して、ＩＰネットワーク６およびＴＤＭネットワーク７へと送出きれる。
【手続補正４】
【補正対象書類名】明細書
【補正対象項目名】００２３
【補正方法】変更
【補正の内容】
【００２３】
ＩＰシステム４およびＴＤＭシステム５からの上り信号は、それぞれイーサネットＰＨＹ８３またはＴＤＭ ＰＨＹ ８４で受信された後、ＯＮＵ ＰＯＮ送受信ブロック８２に送信される。ＯＮＵ ＰＯＮ送受信ブロック８２は、ＧＥＭフレーム組み立てを行った後、光電変換モジュール８１を介して、加入者ファイバ９へ送出される。ＭＰＵ８５、ＲＡＭ８６および制御系インターフェース８７は、ＯＮＵ２を制御するためのマイコン、ＲＡＭおよび外部よりＯＮＵ２に設定を行うためのインターフェースである。
【手続補正５】
【補正対象書類名】明細書
【補正対象項目名】００２４
【補正方法】変更
【補正の内容】
【００２４】
図４はＯＬＴのＰＯＮ送受信ブロックのブロック図である。光電変換モジュール７１からの上りＰＯＮフレーム信号は、ＰＯＮ受信部９０で同期処理とＧＥＭ切り出し処理を行った後に、切り出されたペイロードは、受信ＧＥＭ組立部９１に送信される。受信ＧＥＭ組立部９１は、複数の短期フレームに分割されて送信されたＧＥＭの組み立てを行う。その後、受信ＧＥＭバッファ９２に格納されて、ＯＬＴ受信テーブル９３のテーブル情報に応じて、ＯＬＴ上りイーサネットＧＥＭ終端部９４とＯＬＴ上りＴＤＭ ＧＥＭ終端部９６に振り分けられる。
【手続補正６】
【補正対象書類名】明細書
【補正対象項目名】００２８
【補正方法】変更
【補正の内容】
【００２８】
図５はＯＮＵのＰＯＮ送受信ブロックのブロック図である。光電変換モジュール８１からの下り信号は、ＰＯＮ受信部１２７が受信する。ＰＯＮ受信部１２７は、同期処理、ＧＥＭ切り出し処理を行う。受信ＧＥＭ組立部１２６は、複数の短期フレームに分割されて送信されたＧＥＭの組み立てを行う。組み立てられたＧＥＭは、受信ＧＥＭバッファ１２５に格納されて、ＯＮＵ受信テーブル１２４のテーブル情報に応じて、ＯＮＵ下りイーサネットＧＥＭ終端部１２１とＯＮＵ下りＴＤＭ ＧＥＭ終端部１２３に振り分ける。ＯＮＵ下りイーサネットＧＥＭ終端部１２１は、ＧＥＭからイーサネットフレームを抜き出す。イーサネットフレームは、ＯＮＵ下りイーサネットインターフェース１２０を介して、イーサネットＰＨＹ８３へ送出される。ＯＮＵ下りＴＤＭ ＧＥＭ終端部１２３は、ＧＥＭからＴＤＭ信号が抜き出し、予め定められたタイミングでＯＮＵ下りＴＤＭインターフェース１２２を介して、ＴＤＭ ＰＨＹ８４へと送出される。
【手続補正７】
【補正対象書類名】明細書
【補正対象項目名】００３３
【補正方法】変更
【補正の内容】
【００３３】
図７（ａ）のＯＮＵ ＰＯＮ受信部１２７は、図６（ａ）のＯＬＴ ＰＯＮ受信部９０と信号の流れを除いて同一構成である。また、図７（ｂ）のＯＮＵ ＰＯＮ送信部１２９は、図６（ｂ）のＯＬＴ ＰＯＮ送信部９９と信号の流れを除いて同一構成である。したがって、説明を省く。
【手続補正８】
【補正対象書類名】明細書
【補正対象項目名】００３５
【補正方法】変更
【補正の内容】
【００３５】
幹線ファイバ８からの上り信号は、ＷＤＭ２０７にて波長分離される。波長分離された上り信号は、Ｏ／Ｅ２０８にて光信号から電気信号に変換される。変換された電気信号は、ＡＴＣ（Automatic Threshold Control：識別部）２０９にて適切な閾値による０値または１値の識別が行われる。クロック抽出部２１０は、識別された信号から、クロック抽出およびリタイミングを実施する。さらに直列／並列変換部２１１は、ＩＴＵ−Ｔ勧告Ｇ．９８４．３に記載されたＰＯＮ上りフレーム信号フォーマットのデリミタ領域を検出して、上り信号の切れ目を識別し、直列信号を並列信号に変換する。上りＰＯＮフレーム終端部２１２は、上りフレームに含まれるユーザ信号と制御信号を識別し、ユーザ信号について、上りデータバッファ２１３へ出力する。
【手続補正９】
【補正対象書類名】明細書
【補正対象項目名】００３６
【補正方法】変更
【補正の内容】
【００３６】
上りタイムスロット制御部２１４は、制御信号の一つである各加入者側装置の送信データ蓄積状況を示す通知情報（キュー情報）を、上りＰＯＮフレーム終端部２１２より抽出する。上りタイムスロット制御部２１４は、管理者が予め指定した帯域制御情報と通知されたキュー情報とに基づいて、各加入者側装置に割当てるべき上りタイムスロットを計算する。上りタイムスロット制御部２１４は、上り帯域管理テーブル２１５の内容を周期的に更新する。また、上りタイムスロット制御部２１４は、管理している上りタイムスロット情報を基に、各加入者装置からの上りバースト信号の切れ目を判断し、ＡＴＣ２０９へリセット信号２１６を通知する。更に、上りタイムスロット制御部２１４は、管理している上りタイムスロット情報を基に、レンジング窓領域を判断し、レンジング窓領域とそれ以外のタイムスロット領域の区別するオフセット切替信号２１７をＡＴＣへ通知する。
【手続補正１０】
【補正対象書類名】明細書
【補正対象項目名】００３８
【補正方法】変更
【補正の内容】
【００３８】
図９を参照して、ＯＬＴ光信号受信部の構成を説明する。ここで、図９はＯＬＴ光信号受信部を構成するＯ／ＥとＡＴＣのハードウェアブロック図である。図９において、Ｏ／Ｅ２０８は、高電圧バイアス源２２１に接続されたＡＰＤ（Avalanche Photo Diode）２２０と、ＴＩＡ２２２（Trans-Impedance Amplifier）により、構成される。
【手続補正１１】
【補正対象書類名】明細書
【補正対象項目名】００３９
【補正方法】変更
【補正の内容】
【００３９】
ＡＰＤ２２０は、高電圧で逆バイアスされて、受信光信号をアバランシェ効果により増幅して電流に変換する。この増幅作用により、１Ｇｂｉｔ／ｓを超える高速信号が−３０ｄｂ程度の微弱な光信号として入力される場合も、正しくデータを識別することが可能である。変換された電流は、抵抗２２３と増幅器２２４から構成されるＴＩＡ２２２にて電圧変換される。
【手続補正１２】
【補正対象書類名】明細書
【補正対象項目名】００４２
【補正方法】変更
【補正の内容】
【００４２】
図１１において、ＡＴＣ２０９Ｂは、２台のＡＴＣ２０９とセレクタ２３３とから構成する。ＡＴＣ２０９−１は、レンジング用オフセット２３０が固定的に入力される。一方、ＡＴＣ２０９−２には、バーストデータ用オフセット２３１が固定的に入力される。Ｏ／Ｅ２０８は、電圧変換された受信信号を、２台のＡＴＣ２０９に入力する。上りタイムスロット制御部２１４からのオフセット切替信号でセレクタ２３３は、レンジング窓のタイムスロットではＡＴＣ２０９−１の出力信号を、レンジング窓以外のタイムスロットではＡＴＣ２０９−２の出力信号を選択し、クロック抽出部２１０に送信する。
【手続補正１３】
【補正対象書類名】明細書
【補正対象項目名】００４７
【補正方法】変更
【補正の内容】
【００４７】
このように、レンジング用オフセット値に対してバーストデータ用オフセット値を小さくできるのは、信号待ちの窓（バーストデータ待ちの窓）では、ＯＬＴ１はそのタイミングによって、どのＯＮＵ２からのバーストデータか予測できるからである。また、仮にデリミタの検出をミスしたとしても、後段論理で廃棄可能である。これに対して、レンジング窓では、レンジングは距離を計るためであり、どのタイミングでレンジングトランスミッションを受信するかＯＬＴ１は、予期できない。レンジング窓でオフセットを下げるとホワイトノイズを正規のレンジングトランスミッションと誤判断することがあり、これを防止するオフセット値（最遠のＯＮＵからの受信レベルとホワイトノイズとの差の半分）を維持する必要がある。また、レンジングは、何度も実行できる。
【手続補正１４】
【補正対象書類名】明細書
【補正対象項目名】００５１
【補正方法】変更
【補正の内容】
【００５１】
図１６を参照して、バースト受信特性を説明する。ここで、図１６はオフセット量をパラメータとする受信光パワーと誤り率の関係を示す図である。図１６において、縦軸は信号誤り率、横軸は受信光パワーである。受信光パワーが−３０ｄＢｍ程度あれば、オフセットの量に依存せず誤り率１ｅ−１２を得られる。しかし、受信光パワーが下がるにつれて、誤り率が増加する。オフセットが高いと、この増加率が顕著であり、ＰＯＮバースト受信特性の傾きが急である。ＦＥＣを適用することにより、１ｅ−４の誤り率を１ｅ−１２相当に訂正できる。誤り訂正できる１ｅ−４の誤り率を与える受信光パワーと、誤り訂正なしで誤り率１ｅ−１２となる受信光パワーとの差がコーディングゲインであり、オフセットがレンジング窓と同じとき２.５ｄＢであるのに対し、バーストデータに対してオフセットを下げることにより、５ｄＢを達成している。